【手続補正書】
【提出日】平成22年2月18日(2010.2.18)
【手続補正１】
【補正対象書類名】特許請求の範囲
【補正対象項目名】全文
【補正方法】変更
【補正の内容】
【特許請求の範囲】
【請求項１】
重合性基を有する色素を少なくとも１種類含むことを特徴とする同時２光子吸収３次元記録材料。
【請求項２】
重合性基を有する色素の吸収スペクトルが、同時２光子吸収による記録光の記録波長に対応する波長領域には該色素の線形吸収が存在せず、かつ該記録光の波長よりも短波長側に該色素の線形吸収のモル吸光係数が10,000以上の波長領域を有し、さらに該２光子記録材料から得られる同時２光子吸収３次元記録媒体の再生光の波長領域における該色素の線形吸収のモル吸光係数が100以下であることを特徴とする請求項１に記載の同時２光子吸収３次元記録材料。
【請求項３】
前記重合性基を有する色素のほかに、２光子吸収化合物、重合開始剤、およびバインダーを含むことを特徴とする請求項１又は２に記載の同時２光子吸収３次元記録材料。
【請求項４】
同時２光子吸収３次元記録材料から得られる２光子記録媒体の再生波長における該重合性基を有する色素の屈折率が、バインダーの屈折率よりも大きいことを特徴とする請求項１〜３のいずれかに記載の同時２光子吸収３次元記録材料。
【請求項５】
請求項２に規定した重合性基を有する色素のほかに、さらに請求項２に規定した吸収特性を有しない、重合性基を有する化合物をも含むことを特徴とする請求項２〜４のいずれかに記載の同時２光子吸収３次元記録材料。
【請求項６】
前記請求項２に規定した吸収特性を有しない、重合性基を有する化合物の再生波長における屈折率が、バインダーの該波長における屈折率よりも大きいことを特徴とする請求項５に記載の同時２光子吸収３次元記録材料。
【請求項７】
前記バインダーがアリール基、芳香族へテロ環基、塩素原子、臭素原子、ヨウ素原子、またはイオウ原子を含まないことを特徴とする請求項３〜６のいずれかに記載の同時２光子３次元記録材料。
【請求項８】
前記バインダーがセルロースエステル類、ポリビニルアルコール類、ポリビニルアセテート、ポリビニルブチラール、ポリビニルホルマールまたはフッ素を含む高分子化合物の中から選ばれる少なくとも１つの高分子化合物であることを特徴とする請求項３〜７のいずれかに記載の同時２光子吸収３次元記録材料。
【請求項９】
前記バインダーが熱硬化性化合物から成る３次元架橋構造を有する高分子化合物であることを特徴とする請求項３〜８に記載の同時２光子吸収３次元記録材料。
【請求項１０】
前記バインダーが多官能イソシアネートと多官能アルコールとの熱硬化により得られるポリウレタン化合物の３次元架橋構造を有する高分子化合物であることを特徴とする請求項３〜９のいずれかに記載の同時２光子吸収３次元記録材料。
【請求項１１】
光照射部分において記録光の同時２光子吸収によって生成した２光子吸収化合物の励起状態と重合開始剤との間でのエネルギー移動または電子移動により共存する重合性基を有する化合物が重合し、光非照射部分との屈折率差を生じる記録層を有することを特徴とする請求項３〜１０のいずれかに記載の同時２光子吸収３次元記録材料。
【請求項１２】
前記２光子吸収化合物が有機色素であることを特徴とする、請求項３〜１１のいずれかに記載の同時２光子吸収３次元記録材料。
【請求項１３】
前記２光子吸収化合物がメチン色素またはフタロシアニン色素であることを特徴とする、請求項３〜１２のいずれかに記載の同時２光子吸収３次元記録材料。
【請求項１４】
前記２光子吸収化合物がシアニン色素、メロシアニン色素、オキソノール色素、フタロシアニン色素または下記一般式（１）にて表される化合物であることを特徴とする、請求項３〜１３のいずれかに記載の同時２光子吸収３次元記録材料。
一般式（１）
【化１】
2009086299.tif 000001
式中、Ｒ１、Ｒ２、Ｒ３、Ｒ４はそれぞれ独立に、水素原子、または置換基を表し、Ｒ１、Ｒ２、Ｒ３、Ｒ４のうちのいくつかが互いに結合して環を形成してもよい。ｎおよびｍはそれぞれ独立に０〜４の整数を表し、ｎおよびｍが２以上の場合、複数個のＲ１、Ｒ２、Ｒ３およびＲ４は同一でもそれぞれ異なってもよい。ただし、ｎ、ｍが同時に０となることはない。Ｘ１およびＸ２は独立に、アリール基、ヘテロ環基、または一般式（２）で表される基を表す。
一般式（２）
【化２】
2009086299.tif 000002
式中、Ｒ５は水素原子または置換基を表し、Ｒ６は水素原子、アルキル基、アルケニル基、アリール基、ヘテロ環基を表し、Ｚ１は５または６員環を形成する原子群を表す。
【請求項１５】
前記シアニン色素が下記一般式（３）にて、メロシアニン色素が下記一般式（４）にて、オキソノール色素が一般式（５）にて表されることを特徴とする、請求項１４に記載の同時２光子吸収３次元記録材料。
【化３】
2009086299.tif 000003
一般式（３）〜（５）中、Ｚａ１、Ｚａ２及びＺａ３はそれぞれ５員または６員の含窒素複素環を形成する原子群を表わし、Ｚａ４、Ｚａ５及びＺａ６はそれぞれ５員または６員環を形成する原子群を表わす。Ｒａ１、Ｒａ２及びＲａ３はそれぞれ独立に、水素原子、アルキル基、アルケニル基、アリール基、ヘテロ環基を表す。
Ｍａ１〜Ｍａ１４はそれぞれ独立にメチン基を表わし、置換基を有していても良く、他のメチン基と環を形成しても良い。ｎａ１、ｎａ２及びｎａ３はそれぞれ０または１であり、ｋａ１、及びｋａ３はそれぞれ０〜３の整数を表わす。ｋａ１が２以上の時、複数のＭａ３、Ｍａ４は同じでも異なってもよく、ｋａ３が２以上の時、複数のＭａ１２、Ｍａ１３は同じでも異なってもよい。ｋａ２は０〜８の整数を表わし、ｋａ２が２以上の時、複数のＭａ１０、Ｍａ１１は同じでも異なってもよい。
ＣＩは電荷を中和するイオンを表わし、ｙは電荷の中和に必要な数を表わす。
【請求項１６】
前記重合開始剤が少なくとも１種のラジカルを発生する重合開始剤を含み、重合性化合物が少なくとも１種のラジカルにより重合するラジカル重合性化合物を含むことを特徴とする請求項３〜１５のいずれかに記載の同時２光子吸収３次元記録材料。
【請求項１７】
前記重合開始剤が少なくとも１種の酸を発生する重合開始剤を含み、重合性化合物が少なくとも１種の酸により重合するカチオン重合性化合物を含むことを特徴とする請求項３〜１６のいずれかに記載の同時２光子吸収３次元記録材料。
【請求項１８】
請求項１〜１７のいずれかに記載の同時２光子吸収３次元記録材料に、２光子吸収化合物の有する線形吸収帯よりも長波長でかつ線形吸収の存在しない波長のレーザー光を照射して誘起された２光子吸収により光重合を起こさせて生じた３次元的屈折率変調を利用することを特徴とする３次元記録方法。
【請求項１９】
請求項１〜１７のいずれかに記載の同時２光子吸収３次元記録材料に、２光子吸収化合物の有する線形吸収帯よりも長波長でかつ線形吸収の存在しない波長のレーザー光を照射して誘起された２光子吸収により光重合を起こし、レーザー焦点部と非焦点部にて重合性化合物及びその重合反応物とバインダーとの組成比の不均一化が起こることにより生じる３次元的屈折率変調を利用することを特徴とする請求項１８に記載の３次元記録方法。
【手続補正２】
【補正対象書類名】明細書
【補正対象項目名】発明の名称
【補正方法】変更
【補正の内容】
【発明の名称】同時２光子吸収３次元記録材料及び３次元記録方法